(57)【要約】【課題】本発明は、組み込み式加熱調理器のトップ部の構成において、接着剤の量を大幅に減らしても強固な信頼性の高い機器を提供する。【解決手段】鍋等を載置する天板１１と天板１１を下方から支持する支持体１２と天板１１の端面部を覆設する枠体１５を備え、支持体１２は天板支持面１３よりも外側に本体自体を支持する本体支持面１７を有し、かつ枠体１５の少なくとも一辺には本体支持面１７をかかえる複数の爪１９を設け、枠体１５、天板１１、支持体１２を機械的に狭着した構成とすることで、天板１１を確実に保持できる強固で信頼性の高い機器を提供できる。【選択図】図３
2005265211.tif 000002
【特許請求の範囲】
【請求項１】
鍋等を載置する天板と、前記天板を下方から支持する支持体と、前記天板の端面部を覆設する枠体とを備え、前記支持体は天板支持面よりも外側に本体自体を支持する本体支持面を有し、かつ前記枠体の少なくとも一辺には前記本体支持面をかかえる複数の爪を設け、前記枠体、前記天板、前記支持体を機械的に狭着した組み込み式加熱調理器。
【請求項２】
爪を有する位置の支持体には、下方から枠体を支持する枠体支持板を設けた請求項１記載の組み込み式加熱調理器。
【請求項３】
支持体各辺には、下方から枠体を支持する枠体支持板を少なくとも２つ設け、複数の前記枠体支持板は同一線上の側面を有し、天板を位置決めする構成とした請求項１または２に記載の組み込み式加熱調理器。
【請求項４】
枠体が本体支持面をかかえる複数の爪を有する対辺の支持体には、引っ掛け部を有し、同じ辺の前記枠体には、内側に縁曲げされた天面部を有し、前記天面部は前記引っ掛け部に嵌合する請求項１〜３のいずれか１項に記載の組み込み式加熱調理器。
【発明の詳細な説明】
【技術分野】
【０００１】
本発明は、組み込み式加熱調理器のトップ部の構成に関するものである。
【背景技術】
【０００２】
従来、この種の組み込み式加熱調理器のトップ部の構成としては、天板の端面部を覆うように枠体を設けて、枠体と天板の当接部に接着剤を塗布した構成があった（例えば、特許文献１参照）。図１１、１２は前記文献に記載された従来のトップ部の構成を示すものである。図１１、１２において、セラミックプレート等で構成された天板１があり、その周囲を囲うように枠体２が配置され、天板１と枠体２の当接部には接着剤３が塗布されている。そして、枠体２は本体を構成している外郭４にねじ５等の締結によって固定されている。外郭４内部には、鍋を加熱させる加熱コイルユニット６が２つ備えられ、コイル支持台７のボス８に入れられた各々３個づつのバネ９で天板１との一定した隙間を確保するために天板１裏面に押し付けられている。枠体２がキャビネット１０に当接することで、本体自体を支持している。
【特許文献１】特開平８−２４３０１６号公報
【発明の開示】
【発明が解決しようとする課題】
【０００３】
しかしながら、前記従来の構成では、天板１をメインで支持しているのは、枠体２と天板１の間にある接着剤３であるため、確実に支持するためには、大量の接着剤３が必要である。さらに、本体内には加熱コイルユニット６があり、天板１上には略加熱コイル６の位置の印刷もされているため、枠体２内での天板１の位置というものは両者を合わせるのに重要であるが、枠体２内で機械的に位置決めすることがなかったので、天板１の位置がずれやすいという課題も有していた。
【０００４】
本発明は、上記従来の課題を解決するもので、枠体に設けられた爪により支持板の本体支持面をかかえ、枠体、天板、支持体を機械的に狭着することで、天板を確実に保持する強固な機器を提供することを目的とする。
【課題を解決するための手段】
【０００５】
前記従来の課題を解決するために、本発明は、枠体に支持体の本体支持面をかかえる爪を少なくとも一辺に設けて、枠体、天板、支持体を狭着することを目的とする。
【発明の効果】
【０００６】
本発明の組み込み式加熱調理器は、枠体に支持体の本体支持面をかかえる複数の爪を少なくとも一辺に設けて、枠体、天板、支持体を狭着することにより、天板と枠体との間及び天板と支持体との間の接着剤を少なくすることができ、かつ機械的な保持も確実にできるため、トップ部の強固な機器を提供できるし、また天板の位置決めも支持体により機械的になされるため、天板の印刷と加熱コイルユニット等の内部部品との位置が確実にあった信頼性の高い機器をも提供できる。
【発明を実施するための最良の形態】
【０００７】
第１の発明は、鍋等を載置する天板と天板を下方から支持する支持体と天板の端面部を覆設する枠体を備え、支持体は天板支持面よりも外側に本体自体を支持する本体支持面を有し、かつ枠体の少なくとも一辺には本体支持面をかかえる複数の爪を設け、枠体、天板、支持体を機械的に狭着した構成により、天板固定用の天板と枠体との間及び天板と支持体の天板支持面との間の接着剤を大幅に減らすことができ、また天板を機械的にかつ接着力で確実に保持することができるため、トップ部の強固な機器を提供することができる。
【０００８】
第２の発明は、特に第１の発明の支持体において、枠体の爪を有する位置の支持体には、下方から枠体を支持する枠体支持板を設けた構成により、爪を曲げる際に枠体の変形を防止して外観面である枠体の高さを確保できるし、また設置時の枠体も支持されるので、トップ部がきれいでかつ強固な機器を提供することができる。
【０００９】
第３の発明は、特に第１または第２の発明の支持体において、支持体各辺には、下方から枠体を支持する枠体支持板を少なくとも２つ設け、複数の枠体支持板は同一線上の側面を有し、天板を位置決めする構成により、枠体支持板の側面を天板の側面に当てて天板を位置決めできるので、天板の印刷と内部部品との位置がずれない信頼性の高い機器を提供することができる。
【００１０】
第４の発明は、特に第１〜３の発明の支持体において、支持体の枠体をかかえる複数の爪を有する対辺には、枠体の内側に縁曲げされた天面部に嵌合する引っ掛け部を有する構成により、トップ部の爪曲げの加工を減らし、かつ組み立てやすくしつつ、強度は確保できるため、組立性がよく、強固な機器を提供することができる。
【００１１】
以下、本発明の実施の形態について、図面を参照しながら説明する。なお、本実施の形態によって本発明が限定されるものではない。
【００１２】
（実施の形態１）
図１、２、３、４は、本発明の第１の実施の形態における組み込み式加熱調理器の斜視図、断面図、詳細断面図、トップ部の展開図を示すものである。
【００１３】
図１〜４において、鍋等を載置するセラミックプレート等で構成された天板１１が支持体１２の天板支持面１３によって下方から支持されている。両者は耐熱性の接着剤１４で接着固定されている。天板１１の端面部には全周を覆うように覆設された枠体１５が設けられており、前者同様、両者は接着剤１４で固定されている。支持体１２の内部には本体を構成する外郭１６を備えている。天板支持面１３より外側には本体支持面１７が形成され、本体支持面１７がキャビネット１８に載ることで本体は支持されている。枠体１５には各４辺の下面に複数の爪１９を有し、トップ部の組立時に本体支持面１７にかしめてかかえられている。（実際は、本体支持面１７より枠体１５の板厚分だけ上に逃げた位置）鍋を加熱させる加熱コイルユニット２０が２つ備えられ、コイル支持台２１のボス２２に入れられた各々３個づつのバネ２３で天板１１との一定した隙間を確保するために天板１１裏面に押し付けられている。
【００１４】
以上のように構成された組み込み式加熱調理器のトップ部の構成について、以下その動作、作用を説明する。
【００１５】
まず、上記構成において、枠体１５に設けられた複数の爪１９は支持体１２を構成する本体支持面１７をかかえるように各面４辺ともかしめられている。次に天板１１は支持体１２を構成する天板支持面１３上に載置、固定されている。つまり、この状態において、天板１１は爪１９を介することで、枠体１５と支持体１２によって、機械的に狭着、保持されている。それに本体内への水浸入の防止のためのシールの役目をも果たす接着剤１４が備えられていることで、天板１１は確実に強固に取り付けられている。かしめにより機械的な保持が大きくなされていることで、接着剤１４の量を大きく減らすことができている。
【００１６】
以上のように、本実施の形態においては、枠体に設けられた爪で支持体の本体支持面をかかえるようにかしめ、天板を機械的に狭着、保持させることで、接着剤の量を大幅に減らすことができ、かつ確実にトップ部として天板を保持させることができるため、トップ部の強固な信頼性の高い機器を提供することができる。
【００１７】
なお、本実施の形態では、爪曲げを４辺とも行っているが、３辺でもいいし、対辺どうしの２辺でもいいし、構成によっては１辺でも同様の効果が得られる。また、１辺あたりの爪の数もここでは３つで書いているが、２つでもよく、場合によっては１つで幅の長い爪を構成させても同様の効果が得られる。
【００１８】
なお、この構成において、従来例のようにネジの締め付けにより、トップ部と外郭の固定はなされてなく、またバネによりトッププレートを上方に押されているが、爪がかしめられ支持板をかかえ込み、天板を機械的に狭着しているため、天板と支持板との接着部の応力の負担を大幅に減らすことができ、従来例と同等以上の機械的強度を有するトップ部を構成させることができる。
【００１９】
（実施の形態２）
図５、６は本発明の第２の実施の形態における組み込み式加熱調理器の詳細断面図、トップ部の展開図を示すものである。
【００２０】
図５、６において、基本的な構成は実施の形態１と同様であるため、構成の違うところのみを説明する。枠体１５には支持体１２の本体支持面１７をかかえるようにかしめられる爪１９が複数設けられている。そして、枠体１５と支持体１２がセットされた際の、その爪１９に対応する位置、つまり爪１９の下方には支持体１２から枠体１５を下から支持する枠体支持板２４が備えられ、枠体１５裏面に当接している。
【００２１】
以上のように構成された組み込み式加熱調理器のトップの構成について、以下その動作、作用を説明する。
【００２２】
動作、作用についても、実施の形態１の内容と違う部分についてだけ述べるため、同様の内容は実施の形態１の参照とする。まず、トップ部を組み立てることを考える。爪１９はトップ部を組み立てる前は、枠体１５の側面と同一面である。そして、天板１１を固定した支持体１２を枠体１５内にセットする。その後、爪１９をかしめるため自動機により爪１９を本体内側に押し曲げることで、枠体１５は支持体１２をかかえることになる。よって、枠体１５、天板１１、支持体１２が狭着された構成となる。ところが、爪１９の下方には支持体１２から枠体１５裏面を支持する枠体支持板２４があるため、枠体支持板２４の端部上面が枠体１５の上面裏側に当接して位置決めし、曲げる際も枠体１５は確実に支持され、変形もなく形状を保ったまま加工される。
【００２３】
以上のように、本実施の形態においては、枠体に設けられた爪で支持体の本体支持板をかかえるようにかしめ、爪の下方から枠体を支持する枠体支持板をも設けることで、接着剤の量を大幅に減らすことができ、かつ爪を曲げる際に枠体の変形を防止して外観面である枠体の高さを確保することができる。また、設置時の枠体も支持されるので、トップ部がきれいでかつ強固な機器を提供することができる。
【００２４】
なお、本実施の形態では、枠体支持板を爪の下方に持ってきているが、そこに加えた別の位置に枠体支持板を設けていても、枠体のバックアップになるため、同様の効果が得られる。また、当然、実施の形態１に記した同様の効果も得られる。
【００２５】
（実施の形態３）
図７、８は本発明の第３の実施の形態における組み込み式加熱調理器の詳細断面図、枠体を外した上面図を示すものである。
【００２６】
図７、８において、基本的な構成は実施の形態２と同様であるため、構成の違うところのみを説明する。枠体支持板２４は、支持体１２の各辺に少なくとも２つ設けられおり、そして、その側面２５は天板１１を位置決めする位置に形成されている。
【００２７】
以上のように構成された組み込み式加熱調理器のトップの構成について、以下その動作、作用を説明する。
【００２８】
動作、作用についても、実施の形態２の内容と違う部分についてだけ述べるため、同様の内容は実施の形態２の参照とする。まず、トップ部を組み立てることを考える。支持板１２上に天板１１を載置し、固定するのであるが、支持体１２上の各辺には、枠体支持板２４が少なくとも２つ構成されている。かつ、枠体支持板２４の側面２５は同一面であるため、支持体１２本体に対して、垂直、平行の関係が維持される。よって、その状態で天板１１の組立を行うと、例えば天板１１を右辺の側面２５ａと前面の側面２５ｂに当てて、セットすれば本体に対して、ゆがむことなくセットできるし、また取り付けたい位置に確実にセットすることができる。その後、接着等で確実に固定してやればよい。
【００２９】
以上のように、本実施の形態においては、枠体支持板を少なくとも２つ設け、複数の枠体支持板は同一線上の側面を有し、天板を位置決めする構成とすることで、天板の位置がずれることのない印刷と内部部品との位置があった信頼性の高い機器を提供することができる。
【００３０】
また、さらに側面を４辺とも設けていれば、天板の４方を支持することができるため、トップ部組立完了後（接着完了後）も前後左右方向に対しても、接着プラス機械的保持で確実に天板を保持することもできる。当然、実施の形態１、２に記した同様の効果も得られる。
【００３１】
（実施の形態４）
図９、１０は本発明の第４の実施の形態における組み込み式加熱調理器の断面図、トップ部の展開図を示すものである。
【００３２】
図９、１０において、基本的な構成は実施の形態１と同様であるため、実施の形態１の参照とする。爪１９を設けた対辺側の支持体１２には、枠体１５の内側に縁曲げされた天面部２６に嵌合する引っ掛け部２７を３つ有している。
【００３３】
以上のように構成された組み込み式加熱調理器のトップ部の構成について、以下その動作、作用を説明する。
【００３４】
動作、作用についても、実施の形態１の内容と違う部分についてだけ述べるため、同様の内容は実施の形態１の参照とする。上記構成において、後方は枠体１５の爪１９により、支持体１２の本体支持面１７にかしめられ、機械的に固定されている。そして、その対辺つまり、ここでは前方の支持体１２の辺には、引っ掛け部２７が３つ設けられている。この引っ掛け部２７は、枠体１５と支持体１２をセットした状態では枠体１５に設けられた縁曲げされた天面部２６に嵌合されている。天面部２６に引っ掛け部２７が引っ掛かった状態になっている。つまり、この状態では枠体１５だけを持って、上方に持ち上げても引っ掛け部２７が天面部２６に引っ掛かり、支持体１２や外郭１６が落ちることはない。これらの関係は、前後あるいは左右の対辺方向でなされているため、確実に機械的に固定されることができる。
【００３５】
また、枠体１５と支持体１２のセット性も枠体１５は、枠で構成されているため、嵌合時枠体１５はたわむため、セット性もいいし、かつセットされたあとの嵌合も枠体１５、支持体１２の内外周で決められるため、抜けにくく確実に簡単にセットできるトップ部を形成させることができる。それに、前方はかしめていないので、自動機によるかしめ加工を減らすこともできる。
【００３６】
以上のように、本実施の形態においては、支持体の枠体をかかえる複数の爪を有する対辺には、枠体の内側に縁曲げされた天面部に嵌合する引っ掛け部を有する構成により、トップ部の爪曲げの加工を減らし、かつ組み立てやすくしつつ、強度は確保できるため、組立性がよく、強固な機器を提供することができる。
【産業上の利用可能性】
【００３７】
以上のように、本発明にかかる組み込み式加熱調理器は、トップ部が強固で安全性の高い構成となるので、ビルトイン型のあらゆる機器（調理機器、家事機器等）の用途に適用できる。
【図面の簡単な説明】
【００３８】
【図１】本発明の実施の形態１における組み込み式加熱調理器の斜視図
【図２】本発明の実施の形態１における組み込み式加熱調理器の断面図
【図３】本発明の実施の形態１における組み込み式加熱調理器の詳細断面図
【図４】本発明の実施の形態１における組み込み式加熱調理器のトップ部の展開図
【図５】本発明の実施の形態２における組み込み式加熱調理器の詳細断面図
【図６】本発明の実施の形態２における組み込み式加熱調理器のトップ部の展開図
【図７】本発明の実施の形態３における組み込み式加熱調理器の詳細断面図
【図８】本発明の実施の形態３における組み込み式加熱調理器の枠体を外した上面図
【図９】本発明の実施の形態４における組み込み式加熱調理器の断面図
【図１０】本発明の実施の形態４における組み込み式加熱調理器のトップ部の展開図
【図１１】従来の組み込み式加熱調理器の斜視図
【図１２】従来の組み込み式加熱調理器の断面図
【符号の説明】
【００３９】
１１  天板
１２  支持体
１３  天板支持面
１５  枠体
１７  本体支持面
１９  爪
２４  枠体支持板
２５  側面
２５ａ  側面ａ
２５ｂ  側面ｂ
２６  天面部
２７  引っ掛け部
【図１】
2005265211.tif 000003
【図２】
2005265211.tif 000004
【図３】
2005265211.tif 000005
【図４】
2005265211.tif 000006
【図５】
2005265211.tif 000007
【図６】
2005265211.tif 000008
【図７】
2005265211.tif 000009
【図８】
2005265211.tif 000010
【図９】
2005265211.tif 000011
【図１０】
2005265211.tif 000012
【図１１】
2005265211.tif 000013
【図１２】
2005265211.tif 000014